(57)【要約】【課題】本発明は、不用意な漏水を防止し、なおかつ低コストで施工性のよい給水栓を提供することにある。【解決手段】止水栓などの配管端末具に対して、接続管を差込接続する給水設備であって、前記接続管の端部に取付けた接続具は略凸状に形成されたワンタッチ接続用プラグで、内部に給水側への逆流を防止する逆止弁を収納するとともに、前記配管端末具に取付けた接続具は略凹状に形成されたワンタッチソケットで、その内部に非接続時に閉弁する止水弁を収納した【選択図】　図１
2004116256.tif 000002
【特許請求の範囲】
【請求項１】
止水栓などの配管端末具に対して、接続管を差込接続する給水設備であって、前記接続管の端部に取付けた接続具は略凸状に形成されたワンタッチ接続用プラグで、内部に給水側への逆流を防止する逆止弁を収納するとともに、前記配管端末具に取付けた接続具は略凹状に形成されたワンタッチソケットで、その内部に非接続時に閉弁する止水弁を収納した事を特徴とする給水設備。
【請求項２】
前記ワンタッチ接続用プラグは、前記接続管の接続部に固定される固定部と、前記固定部の内部に前記逆止弁を収納する収納部と、前記ワンタッチソケットに固定される溝部と、前記ワンタッチソケットのシール材にシールされるシール部とで構成されたことを特徴とする請求項１に記載の給水設備。
【発明の詳細な説明】
【０００１】
【発明の属する技術分野】
本発明は、止水栓などの配管端末具に対して接続管を差込接続する給水設備に関し、特に洗濯機等の湯水を必要とする各種器具や各種水栓に関する。
【０００２】
【従来の技術】
従来、流し台や洗面所に取付けられる給水栓本体に接続する接続管１００は、差込操作によって容易に接続できる一対の接続具を用いて、止水栓などの配管端末具１０１と接続している。例えば、接続管１００の端部に凸状の接続具１０２を取付け、配管端末具１０１に凹状の接続具１０３を取付けて凸状の接続具１０２を差込むことによって容易に接続するものである。さらに、給水栓には湯水が逆流するのを防止するための逆止弁１０４を設けることが一般的であり、前述した凹状接続具１０３側に逆止弁１０４を取付けていた。（例えば、特許文献１参照）
【０００３】
【特許文献１】
特開平５−２２３１８８号（３頁、第６図）
【０００４】
【発明が解決しようとする課題】
上記のような凹状接続具１０３側の内部に逆止弁１０４を収納した従来の給水栓にあっては、給水栓の施工時に凹状接続具１０３に凸状接続具１０２が完全に接続されていなかったり、または不用意な操作で凸状接続具１０２が外れてしまう可能性があり、その場合は接続部より漏水が発生する。通常、流し台や洗面化粧台などに取付けられる給水栓の接続部は、小物を収納するキャビネット内にあるため、接続部から漏水が発生しても使用者が気付くことは困難であり、対応が遅れた場合、その周囲は水浸しとなる。
また、凸状接続具１０２や凹状接続具１０３に逆止弁１０４などの部品を単純に収納しようとすると、必要以上に外形寸法が大きくなり、狭い施工空間での施工にも影響を及ぼすことになる。
そこで、本発明は、差込操作で接続する一対の接続具からの漏水を防止するとともにコンパクトで施工性のよい接続具を提供するものである。
【０００５】
【課題を解決するための手段】
上記の課題を解決するために請求項１は、止水栓などの配管端末具に対して、接続管を差込接続する給水設備であって、前記接続管の端部に取付けた接続具は略凸状に形成されたワンタッチ接続用プラグで、内部に給水側への逆流を防止する逆止弁を収納するとともに、前記配管端末具に取付けた接続具は略凹状に形成されたワンタッチソケットで、その内部に非接続時に閉弁する止水弁を収納した事を特徴とする。
【０００６】
これにより、給水栓の施工時にワンタッチソケットにワンタッチ接続用プラグが完全に接続されていなかったり、または不用意な操作でワンタッチ接続用プラグが外れてしまった場合でも止水弁が湯水の圧力などにより水路を閉じて漏水を防ぐことができるとともに、湯水の給水源側への逆流を防止することができる。
【０００７】
請求項２では、前記ワンタッチ接続用プラグは、前記接続管の接続部に固定される固定部と、前記固定部の内部に前記逆止弁を収納する収納部と、前記ワンタッチソケットに固定される溝部と、前記ワンタッチソケットのシール材にシールされるシール部とで構成されたことを特徴とする。
これによって、固定部の外形寸法は抑制され、ワンタッチソケット全体の外形寸法をコンパクトに維持でき、狭い空間での施工に影響を及ぼすことはない。
【０００８】
【発明の実施の形態】
請求項１、２の発明を適用したシングルレバー式の給水栓１を図１及び図２を用いて説明する。給水栓１は給水栓本体２の上部に取り付けられたレバー３により、湯水の混合量および吐水量を調整し、吐水口４から湯水を吐出するものである。
給水栓１は、台所シンク等のカウンター５に設置されており、カウンター５に穿設された取付孔６に給水栓本体２の下端の取付部７が挿入され、ナット８をカウンター５下側から取付部７に螺着し、カウンター５を狭持して固定されている。
【０００９】
給水栓１の下端面からは、湯側・水側の２本の接続管９、９が延設されている。接続管９、９の配管端末具側にはワンタッチ接続用プラグ１１の固定用のナット１２にワンタッチ接続用プラグ１１がシール部材１３を介して固定される。
尚、ワンタッチ接続用プラグ１１の固定についてはナット１２によるねじ固定に限らず、クイックファスナー等による固定でもよく、特に限定するものではない。
【００１０】
ワンタッチ接続用プラグ１１の構成は、給水栓本体２側から順に接続管９、９の接続部であるナット１２に固定される固定部１８と、ワンタッチソケット２２内面のロック部材２４に保持固定される溝部１９と、ワンタッチソケット２２内面のシール部材２５にシールされるシール部２０と、固定部１８の内面においては逆止弁を収納する収納部２１から構成される。
【００１１】
また、ワンタッチ接続用プラグ１１の固定部１８の内面に収納される逆止弁の構成は、接続管９，９側より逆止弁ガイド１４、ばね１５、逆止弁本体１６、シール部材１７の順で直列に配置され、逆止弁ユニット３０として逆止弁の機能を有するものである。このように、固定部１８の内部に各部品を無駄なく配列したので、ワンタッチ接続用プラグ１１の外形寸法を抑制し、コンパクトな形状を維持することができるので、施工に影響を及ぼすことはない。
【００１２】
次に、接続管９，９における主体部１０は可とう性のある銅管やフレキシブルホースが用いられ、接続管９、９を止水栓などの配管端末具２９に設置されたワンタッチソケット２２に接続する際、容易に曲げられるものとなっている。
【００１３】
ワンタッチソケット２２においては、ワンタッチ接続用プラグ１１を固定するロック部２３とロック部２３を保持し、止水栓などの配管端末具２９に固定される継手部２７および継手部２７の内面に収納される止水弁２８からなる。
【００１４】
また、接続管９，９のワンタッチソケット２２への接続においては、ワンタッチ接続用プラグ１１をワンタッチソケット２２内面に挿入すると、止水弁２８をワンタッチ接続用プラグ１１先端部にて止水弁２８を配管端末具２９側に押し込み、止水弁２８のシールを解除することで流路を開通させる。
その際、ワンタッチ接続用プラグ１１の先端シール部２０は、ワンタッチソケット２２内面のシール部材２５によりシールされると共に、溝部１９においては、複数のロック部材２４によりワンタッチソケット２２にロックされ、接続管９，９とワンタッチソケット２２は接続される。
接続管９，９をワンタッチソケット２２より離脱させる際には、スリーブ２６を所定の位置に合わせて配管端末具２９側に移動させることにより、ロック部材２４のワンタッチ接続用プラグ１１への拘束が解かれ、接続管９，９を引き抜くことが可能となる。このとき、止水弁２８は、ワンタッチ接続用プラグ１１の押力が解除されるとともに、湯水の圧力などにより流路を閉じるものである。
ここでワンタッチソケット２２の構造および止水弁２８の構造は一般的に使用されている公知のものであり、その詳細は省略する。
【００１５】
尚、前述の方法以外にも、図３に示すようにワンタッチソケット２２側に逆止弁ユニット３０、止水弁２８を取付ける方策も考えられるが、この場合、逆止弁ユニット３０をワンタッチソケット２２内に収納するためのスペースが新たに必要となり、ワンタッチソケット２２の全長が長くなるか、または、あらたに逆止弁ユニット３０を収納するソケットを取付ける必要がある。これにより接続部に係る全長が長くなり、接続管９，９を配管する際、作業空間が狭くなり施工がやりずらくなると共に製造費用が嵩むことになり、適切でない。
【００１６】
また、ワンタッチソケット２２内の配管端末具２９側に逆止弁ユニット３０、接続管９，９側に止水弁２８を配置すると、次のような事象が発生する。ワンタッチソケット２２と接続管９，９を接続し、通水した後にメンテナンスなどの作業で、一旦、取外して再度、接続するときに、止水弁２８から逆止弁ユニット３０までの空間に湯水が満たされた状態となっているため湯水の逃げ場がなくなり、ワンタッチ接続用プラグ１１の先端が止水弁２８を押し下げることができず、接続できなくなるので、このような方策としては不適切である。
さらに、湯水を逃がすためには、圧力を解除する水抜き機構（図示しない）のようなものを別途設けるか、一旦、ワンタッチソケット２２を外して湯水を逃がす必要がある。この場合は、コストが上昇したり、施工空間が狭くなり施工に影響がでるため適切ではない。
【００１７】
以上のことを考慮すると、本実施例のようにワンタッチ接続用プラグ１１の内部に逆止弁ユニット３０を収納し、ワンタッチソケット２２の内部に止水弁２８を収納することにより、湯水の逃げ場がなくなるようなこともなくなり、最も適した構成といえる。
【００１８】
【発明の効果】
本発明は上記構成により次の効果を発揮する。請求項１は、給水栓本体から延設される接続管と、止水栓などの配管端末具とを差込操作により接続する一対の接続具を備えた給水栓であって、前記接続管の端部に取付けた接続具は略凸状に形成されたワンタッチ接続用プラグで、内部に給水側への逆流を防止する逆止弁を収納するとともに、前記配管端末具に取付けた接続具は略凹状に形成されたワンタッチソケットで、その内部に非接続時に閉弁する止水弁を収納したので、給水栓の施工時にワンタッチソケットにワンタッチ接続用プラグが完全に接続されていなかったり、または不用意な操作でワンタッチ接続用プラグが外れてしまった場合でも止水弁が水圧やバネの付勢力などにより水路を閉じて漏水を防ぐことができるとともに、湯水の給水源側への逆流を防止することができる。また、ワンタッチ接続用プラグとワンタッチソケットを取り外した際に逆止弁と止水弁の間に流体が貯まることもなく、再度接続した場合でも、止水弁は正常に作動するものである。
【００１９】
請求項２では、前記ワンタッチ接続用プラグは、前記接続管の接続部に固定される固定部と、前記固定部の内部に前記逆止弁を収納する収納部と、前記ワンタッチソケットに固定される溝部と、前記ワンタッチソケットのシール材にシールされるシール部とで構成されたことを特徴とする。これによって、固定部の外形寸法は抑制され、ワンタッチソケット全体の外形寸法をコンパクトに維持でき、狭い空間での施工に影響を及ぼすことはない。
【図面の簡単な説明】
【図１】本発明の給水栓を示す全体図である。
【図２】本発明の給水栓における接続部の詳細断面図である。
【図３】従来技術に対する方策案の一例を示す図である。
【図４】従来技術の給水栓接続部の断面図である。
【符号の説明】
１　給水栓
２　給水栓本体
３　レバー
４　吐水口
５　カウンター
６　取付孔
７　取付部
８　ナット
９　接続管
１０　主体部
１１　ワンタッチ接続用プラグ
１２　ナット
１３　シール部材
１４　逆止弁ガイド
１５　ばね
１６　逆止弁本体
１７　シール部材
１８　固定部
１９　溝部
２０　シール部
２１　収納部
２２　ワンタッチソケット
２３　ロック部
２４　ロック部材
２５　シール部材
２６　スリーブ
２７　継手部
２８　止水弁
２９　配管端末具
３０　逆止弁ユニット
１００　接続管
１０１　配管端末具
１０２　凸状接続具
１０３　凹状接続具
１０４　逆止弁
ページ（　）
【図１】
2004116256.tif 000003
【図２】
2004116256.tif 000004
【図３】
2004116256.tif 000005
【図４】
2004116256.tif 000006